(57)【要約】【課題】使い終わったコップを洗浄した後、コップを倒立させて支持し、衛生的な保管ができる自立型の水切り機能を有したコップを提供する。【解決手段】取っ手を有するコップにおいて、コップ部１aと取っ手２の間にネック部３を形成したコップ本体１と支持台５とから成り、支持台のベース部５aの一端から上方に延びる二股状の挟みアーム９のネック部６に前記コップ本体のネック部３を嵌挿して使用する。コップを使用後、コップを洗浄した後は、前記コップ本体のネック部３を中心に１８０°回転させ、コップの開口部を下向きに倒立させて保管をすることを特徴とするコップ。【選択図】  図１
2019030476.tif 000002
【特許請求の範囲】
【請求項１】
コップ本体とこのコップ本体を支える支持台を有するコップであって、前記コップ本体はコップ部とコップ部の側面に設けられた取っ手とコップ部および取っ手との間に形成されたネック部とを備え、前記支持台はベース部とこのベース部の一端から立設された弾性を有する一対の挟みアームを備え、前記挟みアームには前記コップ本体のネック部を支持する挟みアームのネック部を有することを特徴とするコップ。
【請求項２】
請求項１に記載のコップにおいて、前記コップ本体のネック部の断面の形状は、平行な直線部分を２箇所以上有し、前記ネック部の周囲は前記挟みアームが納まる幅の溝を備え、前記挟みアームの根元は双方のアームを連結材にて接合し、前記挟みアームの中央部は前記ネック部の断面の形状に合わせてアームを形成し、前記挟みアームの先端は開口させた形状とし、前記コップ本体のネック部を前記挟みアームのネック部から着脱およびコップ本体のネック部を中心に反転させることにより、支持台に倒立保持できることを特徴とするコップ。
【請求項３】
請求項１に記載のコップにおいて、前記コップ本体のネック部の断面の形状は、両側面が平行な直線部分を一対有し、前記ネック部の周囲は前記挟みアームが納まる幅の溝を備え、前記挟みアームのネック部の形状はＵ字型とし、前記挟みアームの根元は双方のアームを連結材にて接合または直接双方のアーム同志を接合し、前記挟みアームの先端は開口させた形状とし、前記コップ本体のネック部を前記挟みアームのネック部から引っ掛かりなく着脱およびコップ本体を支持台に倒立保持できることを特徴とするコップ。
【請求項４】
請求項１又は３に記載のコップを構成している支持台と歯ブラシ立てホルダーからなる歯ブラシ立てであって、該歯ブラシ立てホルダーは縦状に歯ブラシを支持する支持部を２箇所以上または円筒形状に備え、前記歯ブラシ支持部の下端部にアーム挟着用クリップを有し、挟みアームの根元に前記アーム挟着用クリップを挟着することを特徴とする歯ブラシ立て。
【発明の詳細な説明】
【技術分野】
【０００１】
本発明は、使用後のコップを衛生的に保管する支持台を有した水切り付きコップおよび歯ブラシ立てに関するものである。
【背景技術】
【０００２】
現在、陶器、金属および樹脂などで作られたコップは使用後、洗浄した後の水滴を除去する場合、コップの開口部を上にしたまま自然乾燥させるか、食器ケースを利用して伏せて保管するのが一般的であるが、保管中に衛生面での問題があり改善の方法として、コップの開口部を下向きに起立させて保管する方法がある。コップの取っ手の上部の一部に窪みを設け、そこに板状の支持部を設けた水切りコップ乗せ台に掛ける方法であるが、コップ本体の重心がコップ乗せ台の掛ける位置より高い位置にあるため、コップが安定せず、ひっくりかえり易いという問題がある。
【０００３】
尚、上記発明に関連する公知技術として次の特許文献１を挙げることができる。
【先行技術文献】
【特許文献】
【０００４】
【特許文献１】特開２０１２−３００２７号公報
【発明の概要】
【発明が解決しようとする課題】
【０００５】
洗浄した後のコップには水滴が付着しており、コップの開口部を上にしたまま自然乾燥させると、コップの中に塵や水垢が残ってしまう。また、食器ケースやコップを倒立させて支持するコップ支持具も知られているが、コップの飲み口またはコップの内底部にコップ支持具の一部が触れてしまい、衛生面での問題が残る。
【０００６】
本発明は、上記の問題点に対処するためコップを倒立保持し、且つコップの内部と飲み口が支持具に触れない空中保持をさせることで衛生面の問題を解決し、水切り機能を有するコップを提供することにある。
【課題を解決するための手段】
【０００７】
上述の目的を達成する本発明のコップは、コップ本体とこのコップ本体を支える支持台を有するコップであって、前記コップ本体はコップ部とコップ部の側面に設けられた取っ手とコップ部および取っ手との間に形成されたネック部とを備え、前記支持台はベース部とこのベース部の一端から立設された弾性を有する一対の挟みアームを備え、前記挟みアームには前記コップ本体のネック部を支持する挟みアームのネック部を有する。前記コップのネック部を中心としてコップ本体を１８０°回転させ、コップの開口部を下向きに倒立させて保管することを特徴とする。
【発明の効果】
【０００８】
本発明のコップは、コップの飲み口がどこにも触れず倒立させて保持するので、コップの中底の水滴を速やかに流下させると共に、埃が入りにくく、下向きにしたコップの開口部が大気中に開放されているため、乾燥時間が早く、衛生的な水切り保管ができるという効果がある。また、コップ本体と支持台が一体となるため、壁や棚への取付け金具を必要とせず、何処にでも置けるという利点がある。
【図面の簡単な説明】
【０００９】
【図１】本発明のコップの形態を示す斜視図である。
【図２】図１のコップの使用時の形態を示す平面図である。
【図３】図１のコップの使用時と保管時の形態を示す正面図である。
【図４】図３におけるネック部のＡ−Ａ線断面図である。
【図５】図３におけるネック部の形状を菱形とした実施例を示すＡ−Ａ線断面図である。
【図６】図３におけるネック部の形状をコップの取外しが自由な実施例を示すＡ−Ａ線断面図である。
【図７】図６における挟みアームの連結部を熔着し、支持台ベース部の形状をＵ字型にした実施例を示す斜視図である。
【図８】図７における支持台の材料を木材または樹脂とした実施例を示す斜視図である。
【図９】本発明のコップの支持台に歯ブラシ立てホルダーを設けた実施例を示す斜視図である。
【図１０】図９の歯ブラシ立てホルダーの形状を螺旋とした実施例を示す斜視図である。
【図１１】図９の歯ブラシ立てホルダーの材料を樹脂とした実施例を示す斜視図である。
【図１２】図９の歯ブラシ立てホルダーの材料を樹脂とし、取付箇所を支持台の湾曲部にした実施例を示す斜視図である。
【発明を実施するための形態】
【００１０】
以下、本発明の実施の形態を図面に基づき詳細に説明する。
【実施例１】
【００１１】
図１は、本発明の形態を示す実施例である。容量が２００ｍｌ、底面に対し開口部の面積が広い台形の形状を有した陶器製のコップ本体１で、コップ本体１には、コップ部１aとコップ部側面の取っ手２の間にネック部３を形成し、前記ネック部３の断面の形状は、縦方向に平行な直線部を２個所持つ長円形（競技場のトラックの形）が好ましい。また、前記ネック部３の周囲は支持台の挟みアーム９の軸の太さより０.０５ｍｍ〜０.５ｍｍ大きい均一な溝を設けるのが好ましい。前記支持台５は腐食に強い金属または衝撃や屈曲性に強い炭素繊維等を使用し、前記コップ本体１の底面より大きい形状のベース部５aと前記ベース部５aの一端から立ち上がる二股の挟みアーム９から成り、前記挟みアーム９の根元９aには、挟みアーム９と同素材の連結材７で双方を熔接（熔着）または固定金具にて双方の挟みアーム９を固定する。前記挟みアーム９の中間部９bは、双方の挟みアームで前記長円形のネック部３を包み込む形状６を形成し、前記長円形のネック部３の溝内に前記挟みアームの弾性力により密接する。また、前記挟みアームの先端８は、前記挟みアームのネック部６の上方部を両方から狭めた後、空間を設けて外側に開放した形状（Ωオメガ型の下側の形状）に形成する。前記挟みアームのネック部６に取っ手のネック部３を上方から嵌挿して使用する。
【００１２】
図３の左図は、使用中のコップ本体１および支持台５の正面図で、前記コップ本体１の底面に対し側面の角度は９５°〜１００°が好ましい。同様に、支持台のベース部５aに対する挟みアーム９が成す角度は、９５°〜１００°が好ましい。従って、前記挟みアームのネック部６にコップ本体１のネック部３を嵌挿した時に、コップ本体１がベース部５aに対し水平に保たれるように設定するのが好ましい。
【００１３】
図３の右図は、コップを保管する時の状態を示した正面図で、前記のコップ本体１を洗浄した後に、取っ手のネック部３を中心としてコップ本体１を１８０°回転させ、前記コップ本体１の開口部を下向きにして棚などに支持台と共に置くことで、コップ本体１は垂直方向に対する前記挟みアーム９の角度の２倍の傾きで保持される。
【００１４】
図４は、図３左図の支持台のベース部５aから上方に延びる二股の挟みアーム部９，６，８の形状とコップ本体１の取っ手のネック部３を示したＡ−Ａ線断面図である。前記ネック部３の長円形の縦両側面を平行な直線にすることで、挟みアームのネック部６の直線部分が前記コップ本体１のネック部３を挟持し、必要以外のコップ本体１の回転ブレやガタ付きを抑制し、挟みアームのネック部６にしっかりと支持されるのが好ましい。以上の形態により、前記コップ本体１を挟みアームのネック部６から着脱したり、前記取っ手のネック部３を中心にコップ本体1を３６０°回転させて前記二股の挟みアーム９が一時的に広がっても、挟みアームの弾性力により元の形状に戻るよう適宜設定する。
【００１５】
図５は、図３左図の支持台のベース部５から上方に延びる二股の挟みアーム部９，６，８の形状とコップ本体１の取っ手のネック部３を示したＡ−Ａ線断面図であるが、前記ネック部３の形状を直線部分が４ヶ所となる菱型形状３ａにした場合の断面図である。
【００１６】
図６は、図３左図の支持台のベース部５から上方に延びる二股の挟みアーム部９，６，８の形状とコップ本体１の取っ手のネック部３を示したＡ−Ａ線断面図であるが、挟みアームのネック部６ｂの形状をＵ字型とし、挟みアームのネック部６bの上方部は内向きに狭めることをせず、挟みアームの先端８bを外側に開放した場合の断面図である。前記挟みアームネック部のＵ字型の平行な直線部分の間隔の寸法を前記コップ本体のネック部の溝底の横幅より０.１ｍｍ〜０.５ｍｍ広く設定することで、前記コップ本体１の取っ手のネック部３と挟みアームのネック部６ｂが引っ掛かりなく常に着脱フリーとなり、前記コップ本体１だけをベース部５と切り離して単独で使用できる。コップの使用後は、前記コップ本体１の開口部を下向きにして、取っ手のネック部３を支持台の挟みアームのネック部６ｂに差し込んで保管する。
【実施例２】
【００１７】
図７は、図６の形態を基に簡素化した実施例を表したもので、挟みアーム９の連結材７を省略し、双方の挟みアーム９０の根元部分を熔接（熔着）または接着とする。更に、支持台のベース部５ａの形状をＵ字形のベース部５０ａとした実施例である。
【実施例３】
【００１８】
図８は、図７の支持台５０の材料を木材または樹脂とした実施例である。支持台のベース部５１の上面にコルクなどの滑り止めシート１０を貼ることで、コップ使用時にコースターとしての機能を果たす。
【実施例４】
【００１９】
図９は、歯ブラシ立てとしての実施例で、図７のコップの支持台５０に別途歯ブラシ立てホルダー１１を備える。歯ブラシ立てホルダー１１には３ｃｍ〜７ｃｍの間隔を離した２つ以上の歯ブラシ支持部１４を有し、前記歯ブラシ立てホルダー１１の下端部にはアーム挟着用クリップ１２を設け、支持台のアームの根元９０にアーム挟着部１３を挟着する。
【００２０】
図１０は、図９と同じく歯ブラシ立てとして別途歯ブラシ立てホルダー１１aを備える場合で、歯ブラシの支持部１４ａの形状を螺旋形とした例である。
【００２１】
図１１は、図９と同じく歯ブラシ立てとして別途歯ブラシ立てホルダー１１bを備える場合で、歯ブラシ立てホルダーの材料を樹脂で形成した例で、アームの根元９０にアーム挟着用クリップ１２ａのアーム挟着部１３ａを挟着する。
【００２２】
図１２は、図１１と同じく樹脂製の歯ブラシ立てホルダーであるが、アーム挟着用クリップ１２ｂのアーム挟着部１３ｂの形状を湾曲したトンネル状に形成し、支持台のベース部５ａの湾曲部に上方から挟着する形態の例である。
【００２３】
以上、本発明の実施の形態および実施例を説明したが、本発明の範囲はこれに限定されるものではない。例えばコップ本体の材料は、陶器の他に金属、樹脂、ガラス、木材で製作が可能であり。支持台のベース部と挟みアーム部については、金属、炭素繊維、合成樹脂、合板材があり、軸の断面の形状は円形の他に、楕円形、四角形、三角形とすることも可能である。
【符号の説明】
【００２４】
１                  コップ本体
１a                コップ部
２                  取っ手
３                  取っ手のネック部
４                  取っ手の取付け受け台
５、５０、５１      支持台
５a、５０a、５１a  支持台のベース部
６、６a、６b、６c  挟みアームのネック部
７                  挟みアームの連結材（固定金具）
８、８a、８b、８c  挟みアームの末端
９、９０、９１      支持台の挟みアーム
９a                挟みアームの根元
９b                挟みアームの中間部
１０                コルク等の滑り止めシート
１１、１１a、１１b  歯ブラシ立てホルダー
１２、１２a、１２b  アーム挟着用クリップ
１３、１３a、１３b  アーム挟着部
１４、１４a、１４b  歯ブラシ支持部
１５               歯ブラシ
【図１】
2019030476.tif 000003
【図２】
2019030476.tif 000004
【図３】
2019030476.tif 000005
【図４】
2019030476.tif 000006
【図５】
2019030476.tif 000007
【図６】
2019030476.tif 000008
【図７】
2019030476.tif 000009
【図８】
2019030476.tif 000010
【図９】
2019030476.tif 000011
【図１０】
2019030476.tif 000012
【図１１】
2019030476.tif 000013
【図１２】
2019030476.tif 000014
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
コップ本体とこのコップ本体を支える支持台を有するコップであって、前記コップ本体はコップ部とコップ部の側面に設けられた取っ手とコップ部および取っ手との間に形成されたネック部とを備え、前記支持台はベース部とこのベース部の一端から立設された前記コップ本体のネック部を支持する二股の挟みアームを備え、前記コップ本体のネック部の断面の形状は、平行な直線部分を２箇所以上有し、前記ネック部の周囲は前記挟みアームが納まる幅の溝を備え、前記挟みアームのネック部は前記コップ本体のネック部を包み込む形状にアームを形成し、コップ本体のネック部を挟持していることを特徴とするコップ。
【請求項２】
請求項１に記載のコップにおいて、前記挟みアームは弾性を有する素材を使用し、前記挟みアームの根元は双方のアームを連結材にて接合し、前記挟みアームの先端は前記挟みアームのネック部の上方部を両方から狭めた後、空間を設けて外側に開放させた形状とし、前記コップ本体のネック部を前記挟みアームのネック部から着脱およびコップ本体のネック部を中心に反転させることにより、支持台に倒立保持できることを特徴とするコップ。
【請求項３】
請求項１に記載のコップにおいて、前記コップ本体のネック部の断面の形状は、両側面が平行な直線部分を一対有し、前記ネック部の周囲は前記挟みアームが納まる幅の溝を備え、前記挟みアームのネック部の形状はＵ字型とし、前記挟みアームの根元は双方のアームを連結材にて接合または直接双方のアーム同志を接合し、前記挟みアームの先端は開口させた形状とし、前記コップ本体のネック部を前記挟みアームのネック部から引っ掛かりなく着脱およびコップ本体を支持台に倒立保持できることを特徴とするコップ。
【請求項４】
請求項１又は３に記載のコップを構成している支持台と歯ブラシ立てホルダーからなる歯ブラシ立てであって、該歯ブラシ立てホルダーは縦状に歯ブラシを支持する支持部を２箇所以上または円筒形状に備え、前記歯ブラシ支持部の下端部にアーム挟着用クリップを有し、挟みアームの根元に前記アーム挟着用クリップを挟着することを特徴とする歯ブラシ立て。